(57)【要約】      （修正有）【課題】  使い勝手が良く、寸法や機能の異なるあらゆる伝票に対応することが出来る掲示用ホルダーを提供する。【解決手段】  ＰＥＴ樹脂（ポリエチレンテレフタレート樹脂）材で出来た矩形状の透明プレート１を物品Ａの表面に装着することによって掲示ホルダーＢとして、前記透明プレート１と前記物品Ａとの間に掲示物７を挟持する。前記透明プレート１の片面でその横方向の端縁に設けた第１の接合部２と、前記透明プレート１の片面の縦方向に設けた第２の接合部３を有し、これら第１の接合部２と第２の接合部３の一部に設けた非接合部を有し、これら横方向の端縁および縦方向の端縁が交差したコーナーに対向するコーナーをカットした切除部と、この切除部に設けた摘み部６を設ける。【選択図】  図１
2006292979.tif 000002
【特許請求の範囲】
【請求項１】
物品の表面に装着して前記物品との間に掲示物を挟持するホルダーであって、ＰＥＴ樹
脂材でできた矩形状の透明プレートと、前記透明プレートの片面でその横方向の端縁に設
けてあって前記物品を接合する第１の接合部と、前記透明プレートの片面でその縦方向の
端縁に設けてあって前記物品を接合する第２の接合部と、これら第１の接合部と第２の接
合部の少なくとも一部に設けた非接合部と、これら横方向の端縁と縦方向の端縁が交差し
たコーナと対向するコーナをカットした切除部と、前記切除部に設けた摘み部とからなる
ことを特徴とする掲示用ホルダー。
【請求項２】
前記透明プレートをペットボトルの材料から再生したＰＥＴ樹脂材でできたことを特徴
とする請求項１記載の掲示用ホルダー。
【請求項３】
両面接着テープを前記第１の接合部および第２の接合部に貼り付けたことを特徴とする
請求項１および２記載の掲示用ホルダー。
【請求項４】
前記透明プレートの切除部をＲ状にカットして、その頂上部を含む切除部に摘み部を接
合したことを特徴とする請求項１乃至３記載の掲示用ホルダー。
【請求項５】
物品がコンテナであり、前記コンテナの側面に透明シートを装着して伝票の掲示物を挟
持するホルダーであることを特徴とする請求項１乃至４記載の掲示用ホルダー。
【発明の詳細な説明】
【技術分野】
【０００１】
本発明は、コンテナ、紙袋、ノート、冷蔵庫、キャビネットの引き出し、整理箱、ショーケースや建物の壁などの物品の表面に伝票、商品札、郵便はがき、メモ、写真、絵画、ちらしなどの情報が記載された掲示物を掲示する掲示用ホルダーに関するものである。
【背景技術】
【０００２】
従来、コンテナに伝票を貼り付けて配送の情報を掲示していたが、汚れたり紛失したりするなどの問題があり、同様な問題は、紙袋、ノート、冷蔵庫、キャビネットの引き出し、整理箱、ショーケースや建物の壁などの物品の表面に伝票、商品札、郵便はがき、メモ、写真、絵画、ちらしなどの情報が記載された掲示物を掲示する場合も同様な問題があった。
【０００３】
そこで、上記問題を解消するために、運搬用収納箱を物品とした掲示用ホルダーとして、運搬用収納箱の蓋体の内面カバー部に透明な樹脂製の袋形状となった収納袋が固定してあり、この収納袋に伝票を収納することにより、伝票の紛失もなくなり加工の次工程への流れがスムースにするものが知られている。（特許文献１）
【０００４】
また、コンテナの外表面の定位置に透明シート用いたポケットを取付けて、このポケットに配送用伝票の情報が記載された掲示物を収納して配送伝票に記載されたバーコード，荷主，送り先、その他配送に必要な事項をこのポケットの透明シートを通して外面に表示するものが知られている。（特許文献２）
【０００５】
更に、二枚の樹脂シートを左右両側縁部と底縁部を接着して上部に伝票挿入口を有する運搬箱用伝票ホルダーが知られている。（特許文献３）
【０００６】
【特許文献１】特開２００２−８００４４号公報
【特許文献２】実用新案登録第２６０４４０１号公報
【特許文献３】実用新案登録第３０５５８１９号公報
【発明の開示】
【発明が解決しようとする課題】
【０００７】
しかしながら、特許文献１の収納袋には次のような問題点があった。すなわち、運搬用収納箱の上蓋に取り付けられているため、運搬用収納箱を複数段重ねた時に一番上のものしか見ることができない点である。
【０００８】
また、特許文献２のポケットには次のような問題点があった。すなわち、ラックの外面に垂れた状態で設置されているため、接触時に引っかかりやすく伝票の保全ができない点である。
【０００９】
しかしながら、特許文献３の運搬箱用伝票ホルダーには次のような問題点があった。すなわち、伝票挿入用のくり抜き孔を設けるには加工に手間がかかり、さらに指先で伝票を挿入するには素手でなければならず、手袋着用時には作業出来ない点である。
【課題を解決するための手段】
【００１０】
上記のような目的を達成するため、請求項１の発明は物品の表面に装着して前記物品との間に掲示物を挟持するホルダーであって、ＰＥＴ樹脂材でできた矩形状の透明プレートと、前記透明プレートの片面でその横方向の端縁に設けてあって前記物品を接合する第１の接合部と、前記透明プレートの片面でその縦方向の端縁に設けてあって前記物品を接合する第２の接合部と、これら第１の接合部と第２の接合部の少なくとも一部に設けた非接合部と、これら横方向の端縁と縦方向の端縁が交差したコーナと対向するコーナをカットした切除部と、前記切除部に設けた摘み部とからなることを特徴とする。
【００１１】
請求項２の発明は、請求項１に記載の透明プレートをペットボトルの材料から再生したＰＥＴ樹脂材でできたことを特徴とする。
【００１２】
請求項３の発明は、請求項１および請求項２に記載の両面接着テープを前記第１の接合部および第２の接合部に貼り付けたことを特徴とする。
【００１３】
請求項４の発明は、請求項１乃至請求項３に記載の透明プレートの切除部をＲ状にカットして、その頂上部を含む切除部に摘み部を接合したことを特徴とする。
【００１４】
請求項５の発明は、請求項１乃至請求項４に記載の物品がコンテナであり、このコンテナの側面に透明シートを装着して伝票の掲示物を挟持するホルダーであることを特徴とする。
【発明の効果】
【００１５】
本発明の掲示用ホルダーは、透明プレートを物品本体に装着するという、極めて簡単な構成で、使い勝手がよく、かつ、ＰＥＴ（ポリエチレンテレフタレート樹脂）材のリサイクルにも役立つという利点がある。
【発明を実施するための最良の形態】
【００１６】
以下、本発明の実施の形態を、第１の実施形態と第２の実施形態とし、それぞれ図１から図４、図５から図６に基づいて説明する。
【００１７】
第１の実施形態
第１の実施形態について図１乃至図４にて説明する。各図においてＡはコンテナ本体であり、掲示用ホルダーＢを貼付して使用するものである。図１は後述する透明プレート１の第１の接合部２および第２の接合部３の両面接着テープの片面を剥がして装着した使用時を表し、図２は正面から見たところ、図３は３の方向から、図４は２の方向から見たものである。１はＰＥＴ樹脂（ポリエチレンテレフタレート樹脂）材で出来た矩形状の透明プレートであり、右肩部分がＲ状に切除されてあり、切除部５には摘み部６が設けられている。さらに、両面接着テープを貼り付けた第１の接合部２が前記透明プレート１の片面でその横方向の端縁に設けられている。また、両面接着テープを貼り付けた第２の接合部３が前記透明プレート１の片面でその縦方向の端縁に設けられており、これら第１の接合部２と第２の接合部３との交差位置に両面接着テープを貼り付けていない非接合部４が形成されている。なお、前記非接合部４は上記実施例に限らず、第２の接合部３に複数個設けてもよく、これら第１の接合部２と第２の接合部３の少なくとも一部に設けた非接合部４であればよい。
【００１８】
本発明は、以上説明した実施の形態から明らかなように、きわめて簡単な構造である。
摘み部６を前方に倒すことにより、これがガイドの役目をし、伝票等の掲示物７がより挿入しやすくなり、容易に片手で作業することが出来る。
【００１９】
非接合部４を設けることにより、万一水にぬれた場合の水切りの役目を果たす効果がある。
【００２０】
また、本発明の使用場所は、Ａのコンテナ本体にとどまらず、紙袋、ノート、キャビネットの引き出し、整理箱、ショーケースや建物の壁など、およそ平面であれば、その部位を問わず、挿入されるべき伝票も商品札、ハガキ、メモ、写真、絵画等その形状や大小を問わないという利点がある。
【００２１】
第２の実施形態
第２の実施形態について、図５および図６にて説明する。第１の実施形態を変化させたものであり、両面接着テープ８を厚さ１ｍｍのクッションテープに変更したものである。
【００２２】
さらに、第１の接合部２の上方に平行になるように切断部９を設け、第１の接合部２の付近で円形状に打ち抜いた構造の開きどまり１０を設けている。透明プレート１の厚みは０．５ｍｍであるので、切断面を０．５ｍｍ内側に曲げてある。前記切断部９を設けたことにより、クッションテープの厚みも作用して、より小さな掲示物７も出し入れしやすくなり、内側に曲げることにより、掲示物７の落下を防げるという利点がある。
【００２３】
前記切断部９に設けた円形状の切断部の開きどまり１０により、掲示用ホルダーＢを強く引いた場合でも、力を吸収して無理がかからないようにする。
【００２４】
第３の実施形態
上記第２の実施形態に示すクッションテープを磁気性のある片面テープに変更することにより、冷蔵庫、キャビネット、スチールデスク等の金属製の物品に容易に設置することが出来る。水濡れや油汚れに耐えるため、調理場などでも繰り返し使用することが出来る。
【産業上の利用可能性】
【００２５】
本発明の掲示用ホルダーは、コンテナへの配送伝票やバーコードのある伝票の掲示、紙袋へのメールメモの掲示、ノート、冷蔵庫への買い物ちらしの掲示、キャビネットの引き出しや整理箱への内容物の表示、ショーケースへの商品札の表示および建物の壁への郵便はがき伝言メモ、写真、絵画、ちらしなどの掲示に利用でき。特に、情報の種類や材質（紙製・金属製・樹脂製等）の如何に拘らず、文字や記号あるいは図柄等の各種情報が表示され、所定サイズ・所定形状の枚葉状物を掲示する掲示用ホルダーに適用できる。
【図面の簡単な説明】
【００２６】
【図１】本発明の第１の実施形態を示す掲示用ホルダーの使用例
【図２】掲示用ホルダーを正面から見た外観図
【図３】掲示用ホルダーを２の方向から見た外観図
【図４】掲示用ホルダーを３の方向から見た外観図
【図５】本発明の第２の実施形態を示す掲示用ホルダーを正面から見た外観図
【図６】掲示用ホルダーを５の方向から見た外観図
【符号の説明】
【００２７】
Ａ    コンテナ本体（本発明の物品に相当）
Ｂ    掲示用ホルダー
１    透明シート
２    第１の接合部
３    第２の接合部
４    非接合部
５    切除部
６    摘み部
７    掲示物(伝票等)
８    接着テープ
９    切断部
１０  開きどまり
【図１】
2006292979.tif 000003
【図２】
2006292979.tif 000004
【図３】
2006292979.tif 000005
【図４】
2006292979.tif 000006
【図５】
2006292979.tif 000007
【図６】
2006292979.tif 000008
【手続補正書】
【提出日】平成18年1月11日(2006.1.11)
【手続補正１】
【補正対象書類名】特許請求の範囲
【補正対象項目名】全文
【補正方法】変更
【補正の内容】
【特許請求の範囲】
【請求項１】
物品の表面に装着して前記物品との間に掲示物を挟持するホルダーであって、ＰＥＴ樹
脂材でできた矩形状の透明プレートと、前記透明プレートの片面でその横方向の端縁に設
けてあって前記物品の表面に接合する第１の接合部と、前記透明プレートの片面でその縦方向の端縁に設けてあって前記物品の表面に接合する第２の接合部と、これら第１の接合部と第２の接合部の少なくとも一部に設けた非接合部と、これら横方向の端縁と縦方向の端縁が交差したコーナと対向するコーナをカットした切除部と、前記切除部に設けた摘み部とからなり、第１の接合部の上方に平行に切断した切断部を設け、前記切断部に円形状に打ち抜いた構造の開きどまりを設けていることを特徴とする掲示用ホルダー。
【請求項２】
前記透明プレートをペットボトルの材料から再生したＰＥＴ樹脂材でできたことを特徴
とする請求項１記載の掲示用ホルダー。
【請求項３】
前記第１の接合部および第２の接合部を何れも前記透明プレートに貼り付けた両面接着
テープでその両面接着テープの片面を剥がして前記透明プレートを前記物品に貼り付けて
装着したことを特徴とする請求項１および２記載の掲示用ホルダー。
【請求項４】
前記透明プレートの切除部をＲ状にカットして、その頂上部を含む切除部に摘み部を接
合したことを特徴とする請求項１乃至３記載の掲示用ホルダー。
【手続補正２】
【補正対象書類名】明細書
【補正対象項目名】全文
【補正方法】変更
【補正の内容】
【発明の詳細な説明】
【技術分野】
【０００１】
本発明は、コンテナ、紙袋、ノート、冷蔵庫、キャビネットの引き出し、整理箱、ショ
ーケースや建物の壁などの物品の表面に伝票、商品札、郵便はがき、メモ、写真、絵画、
ちらしなどの情報が記載された掲示物を掲示する掲示用ホルダーに関するものである。
【背景技術】
【０００２】
従来、コンテナに伝票を貼り付けて配送の情報を掲示していたが、汚れたり紛失したり
するなどの問題があり、同様な問題は、紙袋、ノート、冷蔵庫、キャビネットの引き出し、
整理箱、ショーケースや建物の壁などの物品の表面に伝票、商品札、郵便はがき、メモ、写
真、絵画、ちらしなどの情報が記載された掲示物を掲示する場合も同様な問題があった。
【０００３】
そこで、上記問題を解消するために、運搬用収納箱を物品とした掲示用ホルダーとして、
運搬用収納箱の蓋体の内面カバー部に透明な樹脂製の袋形状となった収納袋が固定してあ
り、この収納袋に伝票を収納することにより、伝票の紛失もなくなり加工の次工程への流
れがスムースにするものが知られている。（特許文献１）
【０００４】
また、コンテナの外表面の定位置に透明シート用いたポケットを取付けて、このポケッ
トに配送用伝票の情報が記載された掲示物を収納して配送伝票に記載されたバーコード，
荷主，送り先、その他配送に必要な事項をこのポケットの透明シートを通して外面に表示
するものが知られている。（特許文献２）
【０００５】
更に、二枚の樹脂シートを左右両側縁部と底縁部を接着して上部に伝票挿入口を有する
運搬箱用伝票ホルダーが知られている。（特許文献３）
【０００６】
【特許文献１】特開２００２−８００４４号公報
【特許文献２】実用新案登録第２６０４４０１号公報
【特許文献３】実用新案登録第３０５５８１９号公報
【発明の開示】
【発明が解決しようとする課題】
【０００７】
しかしながら、特許文献１の収納袋には次のような問題点があった。すなわち、運搬用
収納箱の上蓋に取り付けられているため、運搬用収納箱を複数段重ねた時に一番上のもの
しか見ることができない点である。
【０００８】
また、特許文献２のポケットには次のような問題点があった。すなわち、ラックの外面
に垂れた状態で設置されているため、接触時に引っかかりやすく伝票の保全ができない点
である。
【０００９】
しかしながら、特許文献３の運搬箱用伝票ホルダーには次のような問題点があった。す
なわち、伝票挿入用のくり抜き孔を設けるには加工に手間がかかり、さらに指先で伝票を
挿入するには素手でなければならず、手袋着用時には作業出来ない点である。
【課題を解決するための手段】
【００１０】
上記のような目的を達成するため、請求項１の発明は物品の表面に装着して前記物品と
の間に掲示物を挟持するホルダーであって、ＰＥＴ樹脂材でできた矩形状の透明プレート
と、前記透明プレートの片面でその横方向の端縁に設けてあって前記物品を接合する第１
の接合部と、前記透明プレートの片面でその縦方向の端縁に設けてあって前記物品を接合
する第２の接合部と、これら第１の接合部と第２の接合部の少なくとも一部に設けた非接
合部と、これら横方向の端縁と縦方向の端縁が交差したコーナと対向するコーナをカット
した切除部と、前記切除部に設けた摘み部とからなり、第１の接合部の上方に平行に切断した切断部を設け、前記切断部に円形状に打ち抜いた構造の開きどまりを設けていることを特徴とする。
【００１１】
請求項２の発明は、請求項１に記載の透明プレートをペットボトルの材料から再生した
ＰＥＴ樹脂材でできたことを特徴とする。
【００１２】
請求項３の発明は、請求項１および請求項２に記載の前記第１の接合部および第２の接
合部を何れも前記透明プレートに貼り付けた両面接着テープでその両面接着テープの片面を剥がして前記透明プレートを前記物品に貼り付けて装着したことを特徴とする。
【００１３】
請求項４の発明は、請求項１乃至請求項３に記載の透明プレートの切除部をＲ状にカッ
トして、その頂上部を含む切除部に摘み部を接合したことを特徴とする。
【発明の効果】
【００１４】
本発明の掲示用ホルダーは、透明プレートを物品本体に装着するという、極めて簡単な
構成で、使い勝手がよく、かつ、ＰＥＴ（ポリエチレンテレフタレート樹脂）材のリサイ
クルにも役立つという利点がある。
【発明を実施するための最良の形態】
【００１５】
以下、本発明の実施の形態を、第１の実施形態と第２の実施形態とし、それぞれ図１か
ら図４、図５から図６に基づいて説明する。
【００１６】
第１の実施形態
第１の実施形態について図１乃至図４にて説明する。各図においてＡはコンテナ本体で
あり、掲示用ホルダーＢを貼付して使用するものである。図１は後述する透明プレート１
の第１の接合部２および第２の接合部３の両面接着テープの片面を剥がして装着した使用
時を表し、図２は正面から見たところ、図３は３の方向から、図４は２の方向から見たも
のである。１はＰＥＴ樹脂（ポリエチレンテレフタレート樹脂）材で出来た矩形状の透明
プレートであり、右肩部分がＲ状に切除されてあり、切除部５には摘み部６が設けられて
いる。さらに、両面接着テープを貼り付けた第１の接合部２が前記透明プレート１の片面
でその横方向の端縁に設けられている。また、両面接着テープを貼り付けた第２の接合部
３が前記透明プレート１の片面でその縦方向の端縁に設けられており、これら第１の接合
部２と第２の接合部３との交差位置に両面接着テープを貼り付けていない非接合部４が形
成されている。なお、前記非接合部４は上記実施例に限らず、第２の接合部３に複数個設
けてもよく、これら第１の接合部２と第２の接合部３の少なくとも一部に設けた非接合部
４であればよい。
【００１７】
本発明は、以上説明した実施の形態から明らかなように、きわめて簡単な構造である。
摘み部６を前方に倒すことにより、これがガイドの役目をし、伝票等の掲示物７がより挿入
しやすくなり、容易に片手で作業することが出来る。
【００１８】
非接合部４を設けることにより、万一水にぬれた場合の水切りの役目を果たす効果があ
る。
【００１９】
また、本発明の使用場所は、Ａのコンテナ本体にとどまらず、紙袋、ノート、キャビネッ
トの引き出し、整理箱、ショーケースや建物の壁など、およそ平面であれば、その部位を
問わず、挿入されるべき伝票も商品札、ハガキ、メモ、写真、絵画等その形状や大小を問
わないという利点がある。
【００２０】
第２の実施形態
第２の実施形態について、図５および図６にて説明する。第１の実施形態を変化させたも
のであり、両面接着テープ８を厚さ１ｍｍのクッションテープに変更したものである。
【００２１】
さらに、第１の接合部２の上方に平行に切断した切断部９を設け、第１の接合部２の付近で前記切断部９に円形状に打ち抜いた構造の開きどまり１０を設けている。透明プレート１の厚みは０．５ｍｍであるので、切断面を０．５ｍｍ内側に曲げてある。前記切断部９を設けたことにより、クッションテープの厚みも作用して、より小さな掲示物７も出し入れしやすくなり、内側に曲げることにより、掲示物７の落下を防げるという利点がある。
【００２２】
前記切断部９に設けた円形状の切断部の開きどまり１０により、掲示用ホルダーＢを強く引いた場合でも、力を吸収して無理がかからないようにする。
【００２３】
第３の実施形態
上記第２の実施形態に示すクッションテープを磁気性のある片面テープに変更すること
により、冷蔵庫、キャビネット、スチールデスク等の金属製の物品に容易に設置するこ
とが出来る。水濡れや油汚れに耐えるため、調理場などでも繰り返し使用することが出
来る。
【産業上の利用可能性】
【００２４】
本発明の掲示用ホルダーは、コンテナへの配送伝票やバーコードのある伝票の掲示、
紙袋へのメールメモの掲示、ノート、冷蔵庫への買い物ちらしの掲示、キャビネットの引
き出しや整理箱への内容物の表示、ショーケースへの商品札の表示および建物の壁への郵
便はがき伝言メモ、写真、絵画、ちらしなどの掲示に利用でき。特に、情報の種類や材質
（紙製・金属製・樹脂製等）の如何に拘らず、文字や記号あるいは図柄等の各種情報が表
示され、所定サイズ・所定形状の枚葉状物を掲示する掲示用ホルダーに適用できる。
【図面の簡単な説明】
【００２５】
【図１】本発明の第１の実施形態を示す掲示用ホルダーの使用例
【図２】掲示用ホルダーを正面から見た外観図
【図３】掲示用ホルダーを２の方向から見た外観図
【図４】掲示用ホルダーを３の方向から見た外観図
【図５】本発明の第２の実施形態を示す掲示用ホルダーを正面から見た外観図
【図６】掲示用ホルダーを５の方向から見た外観図
【符号の説明】
【００２６】
Ａ    コンテナ本体（本発明の物品に相当）
Ｂ    掲示用ホルダー
１    透明シート
２    第１の接合部
３    第２の接合部
４    非接合部
５    切除部
６    摘み部
７    掲示物(伝票等)
８    接着テープ
９    切断部
１０    開きどまり
【手続補正書】
【提出日】平成18年4月11日(2006.4.11)
【手続補正１】
【補正対象書類名】特許請求の範囲
【補正対象項目名】全文
【補正方法】変更
【補正の内容】
【特許請求の範囲】
【請求項１】
物品の表面に装着して前記物品との間に掲示物を挟持するホルダーであって、ＰＥＴ樹
脂材でできた矩形状の透明プレートと、前記透明プレートの片面でその横方向の端縁に設
けてあって前記物品の表面に接合する第１の接合部と、前記透明プレートの片面でその縦
方向の端縁に設けてあって前記物品の表面に接合する第２の接合部と、これら第１の接合
部と第２の接合部の少なくとも一部に設けた非接合部と、これら横方向の端縁と縦方向の
端縁が交差したコーナと対向するコーナをＲ状にカットした切除部と、前記切除部設けた
摘み部とからなり、前記透明プレートの片面には第１の接合部の上方に平行でかつ切断面
を内側に曲げるように切断した切断部を設け、前記切断部には円形状に打ち抜いた構造の
開きどまりを設けていることを特徴とする掲示用ホルダー。
【請求項２】
前記透明プレートをペットボトルの材料から再生したＰＥＴ樹脂材でできたことを特徴
とする請求項１記載の掲示用ホルダー。
【請求項３】
前記第１の接合部および第２の接合部を何れも前記透明プレートに貼り付けた両面接着
テープでその両面接着テープの片面を剥がして前記透明プレートを前記物品に貼り付けて
装着したことを特徴とする請求項１または２記載の掲示用ホルダー。
【手続補正２】
【補正対象書類名】明細書
【補正対象項目名】全文
【補正方法】変更
【補正の内容】
【発明の詳細な説明】
【技術分野】
【０００１】
本発明は、コンテナ、紙袋、ノート、冷蔵庫、キャビネットの引き出し、整理箱、ショ
ーケースや建物の壁などの物品の表面に伝票、商品札、郵便はがき、メモ、写真、絵画、
ちらしなどの情報が記載された掲示物を掲示する掲示用ホルダーに関するものである。
【背景技術】
【０００２】
従来、コンテナに伝票を貼り付けて配送の情報を掲示していたが、汚れたり紛失したり
するなどの問題があり、同様な問題は、紙袋、ノート、冷蔵庫、キャビネットの引き出し、整理箱、ショーケースや建物の壁などの物品の表面に伝票、商品札、郵便はがき、メモ、写真、絵画、ちらしなどの情報が記載された掲示物を掲示する場合も同様な問題があった。
【０００３】
そこで、上記問題を解消するために、運搬用収納箱を物品とした掲示用ホルダーとして、運搬用収納箱の蓋体の内面カバー部に透明な樹脂製の袋形状となった収納袋が固定してあり、この収納袋に伝票を収納することにより、伝票の紛失もなくなり加工の次工程への流れがスムースにするものが知られている。（特許文献１）
【０００４】
また、コンテナの外表面の定位置に透明シート用いたポケットを取付けて、このポケッ
トに配送用伝票の情報が記載された掲示物を収納して配送伝票に記載されたバーコード，荷主，送り先、その他配送に必要な事項をこのポケットの透明シートを通して外面に表示するものが知られている。（特許文献２）
【０００５】
更に、二枚の樹脂シートを左右両側縁部と底縁部を接着して上部に伝票挿入口を有する運搬箱用伝票ホルダーが知られている。（特許文献３）
【０００６】
【特許文献１】特開２００２−８００４４号公報
【特許文献２】実用新案登録第２６０４４０１号公報
【特許文献３】実用新案登録第３０５５８１９号公報
【発明の開示】
【発明が解決しようとする課題】
【０００７】
しかしながら、特許文献１の収納袋には次のような問題点があった。すなわち、運搬用収納箱の上蓋に取り付けられているため、運搬用収納箱を複数段重ねた時に一番上のものしか見ることができない点である。
【０００８】
また、特許文献２のポケットには次のような問題点があった。すなわち、ラックの外面に垂れた状態で設置されているため、接触時に引っかかりやすく伝票の保全ができない点である。
【０００９】
しかしながら、特許文献３の運搬箱用伝票ホルダーには次のような問題点があった。すなわち、伝票挿入用のくり抜き孔を設けるには加工に手間がかかり、さらに指先で伝票を挿入するには素手でなければならず、手袋着用時には作業出来ない点である。
【課題を解決するための手段】
【００１０】
上記のような目的を達成するため、請求項１の発明は物品の表面に装着して前記物品との間に掲示物を挟持するホルダーであって、ＰＥＴ樹脂材でできた矩形状の透明プレートと、前記透明プレートの片面でその横方向の端縁に設けてあって前記物品を接合する第１の接合部と、前記透明プレートの片面でその縦方向の端縁に設けてあって前記物品を接合する第２の接合部と、これら第１の接合部と第２の接合部の少なくとも一部に設けた非接合部と、これら横方向の端縁と縦方向の端縁が交差したコーナと対向するコーナをカットした切除部と、前記切除部に設けた摘み部とからなり、前記透明プレートの片面には第１の接合部の上方に平行でかつ切断面を内側に曲げるように切断した切断部を設け、前記切断部には円形状に打ち抜いた構造の開きどまりを設けていることを特徴とする。
【００１１】
請求項２の発明は、請求項１に記載の透明プレートをペットボトルの材料から再生したＰＥＴ樹脂材でできたことを特徴とする。
【００１２】
請求項３の発明は、請求項１および請求項２に記載の前記第１の接合部および第２の接合部を何れも前記透明プレートに貼り付けた両面接着テープでその両面接着テープの片面を剥がして前記透明プレートを前記物品に貼り付けて装着したことを特徴とする。
【発明の効果】
【００１３】
本発明の掲示用ホルダーは、透明プレートを物品本体に装着するという、極めて簡単な構成で、使い勝手がよく、かつ、ＰＥＴ（ポリエチレンテレフタレート樹脂）材のリサイクルにも役立つという利点がある。
【発明を実施するための最良の形態】
【００１４】
以下、本発明の実施の形態を、第１の実施形態と第２の実施形態とし、それぞれ図１から図４、図５から図６に基づいて説明する。
【００１５】
第１の実施形態
第１の実施形態について図１乃至図４にて説明する。各図においてＡはコンテナ本体であり、掲示用ホルダーＢを貼付して使用するものである。図１は後述する透明プレート１の第１の接合部２および第２の接合部３の両面接着テープの片面を剥がして装着した使用時を表し、図２は正面から見たところ、図３は３の方向から、図４は２の方向から見たものである。１はＰＥＴ樹脂（ポリエチレンテレフタレート樹脂）材で出来た矩形状の透明プレートであり、右肩部分がＲ状に切除されてあり、切除部５には摘み部６が設けられている。さらに、両面接着テープを貼り付けた第１の接合部２が前記透明プレート１の片面でその横方向の端縁に設けられている。また、両面接着テープを貼り付けた第２の接合部３が前記透明プレート１の片面でその縦方向の端縁に設けられており、これら第１の接合部２と第２の接合部３との交差位置に両面接着テープを貼り付けていない非接合部４が形成されている。なお、前記非接合部４は上記実施例に限らず、第２の接合部３に複数個設けてもよく、これら第１の接合部２と第２の接合部３の少なくとも一部に設けた非接合部４であればよい。
【００１６】
本発明は、以上説明した実施の形態から明らかなように、きわめて簡単な構造である。
摘み部６を前方に倒すことにより、これがガイドの役目をし、伝票等の掲示物７がより挿入しやすくなり、容易に片手で作業することが出来る。
【００１７】
非接合部４を設けることにより、万一水にぬれた場合の水切りの役目を果たす効果がある。
【００１８】
また、本発明の使用場所は、Ａのコンテナ本体にとどまらず、紙袋、ノート、キャビネットの引き出し、整理箱、ショーケースや建物の壁など、およそ平面であれば、その部位を問わず、挿入されるべき伝票も商品札、ハガキ、メモ、写真、絵画等その形状や大小を問ないという利点がある。
【００１９】
第２の実施形態
第２の実施形態について、図５および図６にて説明する。第１の実施形態を変化させたものであり、両面接着テープ８を厚さ１ｍｍのクッションテープに変更したものである。
【００２０】
さらに、第１の接合部２の上方に平行に切断した切断部９を設け、第１の接合部２の付近で前記切断部９に円形状に打ち抜いた構造の開きどまり１０を設けている。透明プレート１の厚みは０．５ｍｍであるので、切断面を０．５ｍｍ内側に曲げてある。前記切断部９を設けたことにより、クッションテープの厚みも作用して、より小さな掲示物７も出し入れしやすくなり、内側に曲げることにより、掲示物７の落下を防げるという利点がある。
【００２１】
前記切断部９に設けた円形状の切断部の開きどまり１０により、前記透明プレート１の片面である掲示用ホルダーＢを強く引いた場合でも、力を吸収して無理がかからないようにする。
【００２２】
第３の実施形態
上記第２の実施形態に示すクッションテープを磁気性のある片面テープに変更することにより、冷蔵庫、キャビネット、スチールデスク等の金属製の物品に容易に設置することが出来る。水濡れや油汚れに耐えるため、調理場などでも繰り返し使用することが出来る。
【産業上の利用可能性】
【００２３】
本発明の掲示用ホルダーは、コンテナへの配送伝票やバーコードのある伝票の掲示、紙袋へのメールメモの掲示、ノート、冷蔵庫への買い物ちらしの掲示、キャビネットの引き出しや整理箱への内容物の表示、ショーケースへの商品札の表示および建物の壁への郵便はがき伝言メモ、写真、絵画、ちらしなどの掲示に利用でき。特に、情報の種類や材質（紙製・金属製・樹脂製等）の如何に拘らず、文字や記号あるいは図柄等の各種情報が表示され、所定サイズ・所定形状の枚葉状物を掲示する掲示用ホルダーに適用できる。
【図面の簡単な説明】
【００２４】
【図１】本発明の第１の実施形態を示す掲示用ホルダーの使用例
【図２】掲示用ホルダーを正面から見た外観図
【図３】掲示用ホルダーを２の方向から見た外観図
【図４】掲示用ホルダーを３の方向から見た外観図
【図５】本発明の第２の実施形態を示す掲示用ホルダーを正面から見た外観図
【図６】掲示用ホルダーを５の方向から見た外観図
【符号の説明】
【００２５】
Ａ    コンテナ本体（本発明の物品に相当）
Ｂ    掲示用ホルダー
１    透明シート
２    第１の接合部
３    第２の接合部
４    非接合部
５    切除部
６    摘み部
７    掲示物(伝票等)
８    接着テープ
９    切断部
１０    開きどまり